(57)【要約】【課題】   巻取りロッドで巻取り始めるときに十分な巻取り力を提供することにより、布を巻取り始めるときに巻取りロッドへ強く巻取られてずれることを防ぐ布巻取り機の張力調整アーキテクチャを提供する。。【解決手段】 布巻取り機の張力調整アーキテクチャは、駆動機構２０により布巻取り機を駆動し、巻取り張力を調整しながら布を巻取り、巻取りロッド３０、布押え機構４０および調整機構を備える。巻取りロッド３０は、布巻取り機に枢着され、第１の伝動ユニット１００および駆動機構２０と接続されている。第１の伝動ユニット１００は、駆動機構２０および巻取りロッド３０にそれぞれ設けられた２つのプーリ１０１，１０２と、２つのプーリ１０１，１０２に掛け渡されたベルト１０３とを有する。駆動機構２０は、２つのプーリ１０１，１０２およびベルト１０３を介して巻取りロッド３０を駆動させて布９０を巻取る。【選択図】   図１
2011011878.tif 000002
【特許請求の範囲】
【請求項１】
駆動機構（２０）により布巻取り機を駆動し、巻取り張力を調整しながら布を巻取り、巻取りロッド（３０）、布押え機構（４０）および調整機構を備えた布巻取り機の張力調整アーキテクチャであって、
前記巻取りロッド（３０）は、前記布巻取り機に枢着され、第１の伝動ユニット（１００）および前記駆動機構（２０）と接続され、前記第１の伝動ユニット（１００）は、前記駆動機構（２０）および前記巻取りロッド（３０）にそれぞれ設けられた２つのプーリ（１０１），（１０２）と、２つのプーリ（１０１），（１０２）に掛け渡されたベルト（１０３）と、を有し、前記駆動機構（２０）は、前記２つのプーリ（１０１），（１０２）および前記ベルト（１０３）を介して前記巻取りロッド（３０）を駆動させて布（９０）を巻取り、
前記布押え機構（４０）は、前記布巻取り機に設けられた作動アーム（４１）と、前記作動アーム（４１）に設けられた布押え棒（４２）と、を有し、前記布押え棒（４２）は、前記布（９０）と接触されないときに第１の位置にあり、前記布（９０）と接触して持ち上げられたときに第２の位置にあり、
前記調整機構は、前記作動アーム（４１）と接触された制動部材（６０）と、前記ベルト（１０３）に対応する圧接部材（８０）と、前記制動部材（６０）と前記圧接部材（８０）との間に配置された接続ユニット（７０）と、を有し、前記制動部材（６０）は、布押え棒（４２）が第１の位置にある場合、作動アーム（４１）の押圧により前記接続ユニット（７０）が駆動され、ベルト（１０３）へ圧接部材（８０）を当てて布巻取り張力を増大させ、前記布押え棒（４２）が第２の位置にある場合、前記作動アーム（４１）が駆動し、前記接続ユニット（７０）により前記ベルト（１０３）から前記圧接部材（８０）が離されることを特徴とする、布巻取り機の張力調整アーキテクチャ。
【請求項２】
請求項１に記載の布巻取り機の張力調整アーキテクチャにおいて、前記制動部材（６０）は、前記布巻取り機に枢着され、一方の端部が前記作動アーム（４１）に対応した作動端部（６１）を有し、他方の端部が前記接続ユニット７０に接続された装着端部（６２）を有することを特徴とする、布巻取り機の張力調整アーキテクチャ。
【請求項３】
請求項１に記載の布巻取り機の張力調整アーキテクチャにおいて、前記布巻取り機は、前記制動部材（６０）を貫設させる組立孔（６３）を有し、
前記組立孔（６３）は、前記制動部材（６０）を枢着させる組立フレーム（６４）を有することを特徴とする、布巻取り機の張力調整アーキテクチャ。
【請求項４】
請求項１に記載の布巻取り機の張力調整アーキテクチャにおいて、前記圧接部材（８０）は、前記布巻取り機に枢着された可動ロッド（８１）と、前記可動ロッド（８１）に配置され、前記ベルト（１０３）に対応する押圧輪（８２）と、を有することを特徴とする、布巻取り機の張力調整アーキテクチャ。
【請求項５】
請求項４に記載の布巻取り機の張力調整アーキテクチャにおいて、前記布巻取り機は、両端部が前記布巻取り機と前記可動ロッド（８１）とにそれぞれ接続された弾性部材（８３）を有することを特徴とする、布巻取り機の張力調整アーキテクチャ。
【請求項６】
請求項１、２または４に記載の布巻取り機の張力調整アーキテクチャにおいて、前記接続ユニット（７０）は、前記制動部材（６０）に枢着された接続ブロック（７１）と、両端部が前記接続ブロック（７１）および前記圧接部材（８０）にそれぞれ接続された牽引紐（７３）と、を有することを特徴とする、布巻取り機の張力調整アーキテクチャ。
【請求項７】
請求項６に記載の布巻取り機の張力調整アーキテクチャにおいて、前記接続ブロック（７１）は、一方の端部が前記牽引紐（７３）に係合され、他方の端部が前記牽引紐（７３）の牽引力を調整するために前記接続ブロック（７１）に螺着された接続フック（７２）を有することを特徴とする、布巻取り機の張力調整アーキテクチャ。
【請求項８】
請求項６に記載の布巻取り機の張力調整アーキテクチャにおいて、前記布巻取り機は、前記牽引紐（７３）が掛け渡された補助輪（７４）を有することを特徴とする、布巻取り機の張力調整アーキテクチャ。
【発明の詳細な説明】
【技術分野】
【０００１】
本発明は、布巻取り機の張力調整アーキテクチャに関し、特に、高脚高速布巻取り機が布を巻取り始める際の巻取り張力を制御することが可能な張力調整アーキテクチャに関する。
【背景技術】
【０００２】
従来、編機により編まれた布は、布巻取り機が巻き取って収納していた（例えば、特許文献１）。特許文献１が開示する布巻取り機は、２つのサイドボックスを有する。これら２つのサイドボックス内の中段部分には、巻取りロッドの両端部をそれぞれ配置することができる斜めに延伸された２つのガイドレールが設けられている。２つのガイドレールの下方には、互いに平行に延伸された第１の布送り軸および第２の布送り軸が横設されている。布巻取り機は、第１の布送り軸および第２の布送り軸により布を送り、巻取りロッドで布を巻取る。この布の巻取り工程では、巻取りロッド上の布が増えるに伴い、巻取りロッドにより布をガイドレールに沿って上方へ移動させるが、布巻取り機の使用には以下（１）〜（３）の欠点があった。
【０００３】
（１）巻取りロッドで巻き取られた布により第１の布送り軸棒および第２の布送り軸棒が押圧され、巻取りロッドにより巻取られる布が増えるに伴い重くなり、第１の布送り軸および第２の布送り軸の下向きの圧力が大きくなるため、布の巻取り張力が徐々に高くなって不均一となる虞があった。
（２）巻取りロッドは、ガイドレールに嵌入されているだけのため外れ易く、布の巻取り工程の際、布巻取り機から飛び出す虞があった。
（３）布の収容量が約２０ｋｇと少ないため、染色を行うことが不便である上、廃材が増える虞があった。
【０００４】
特許文献２および特許文献３が開示する布巻取り機は、２つのサイドボックスと、２つのサイドボックス間に設けられた布巻取り装置および布送り装置と、ベルトおよびプーリを介して布巻取り装置および布送り装置を駆動させる駆動装置と、を含む。布送り装置は、支持アームと、支持アームに設けた布圧延棒と、を有する。布巻取り工程を行う際、布巻取り装置の巻取りロッド上に巻き付けられた布の量が増えるに伴い巻き取られた布が厚くなり、布圧延棒に当たって摩擦が生じ、巻取りロッドが回転して布を収納する。このように、布巻取り工程を行う際、布圧延棒により布が押圧されることにより、布の巻取りに伴い張力が増大する虞があった。つまり、特許文献２および特許文献３には、以下（１）および（２）の欠点があった。
【０００５】
（１）布を巻取り始めるとき、巻取りロッドにより布が大きな張力で巻取られるため、巻取りロッドのベルトおよびプーリの張力が高い。そのため、巻取りロッドは、大きな巻取り力により布を巻取ることができるが、ベルトおよびプーリが長時間高い張力で駆動されるため、ベルトが磨耗して使用寿命が短くなることがあった。そのため、ベルトを頻繁に交換しなければならない上、メンテナンスにかかるコストおよび時間が増大し、経済的でなかった。
（２）高張力で長時間使用し続けるため、ベルトに磨耗が発生し、ベルトとプーリとの間の摩擦力が低下して滑り易くなり、巻取りロッドが巻取り始めるときの巻取り力が不足する虞があった。そのため、布巻取り機が高速で回転すると巻取りロッド上の布が緩む上、布が巻き取られて次第に厚くなると、回転に伴って巻取りロッドの何れか一方の側へ布がずれ、バランスを維持することができなくなることがあった。このように布の巻取りに異常が発生すると、装置の運転を中止しなければならなくなる虞があった。
【先行技術文献】
【特許文献】
【０００６】
【特許文献１】台湾実用新案登録第２４３４７２号公報
【特許文献２】台湾実用新案登録第３０３９２１号公報
【特許文献３】台湾特許第２９６２９３号公報
【発明の概要】
【発明が解決しようとする課題】
【０００７】
本発明の目的は、従来技術の問題点を解決し、巻取りロッドで巻取り始めるときに十分な巻取り力を提供することにより、巻取り始めるときに巻取りロッドへ強く巻取られてずれることを防ぐ布巻取り機の張力調整アーキテクチャを提供することにある。
【課題を解決するための手段】
【０００８】
上記課題を解決するために、本発明は次のような構成を有する。
請求項１に記載の発明は、駆動機構（２０）により布巻取り機を駆動し、巻取り張力を調整しながら布を巻取り、巻取りロッド（３０）、布押え機構（４０）および調整機構を備えた布巻取り機の張力調整アーキテクチャであって、前記巻取りロッド（３０）は、前記布巻取り機に枢着され、第１の伝動ユニット（１００）および前記駆動機構（２０）と接続され、前記第１の伝動ユニット（１００）は、前記駆動機構（２０）および前記巻取りロッド（３０）にそれぞれ設けられた２つのプーリ（１０１），（１０２）と、２つのプーリ（１０１），（１０２）に掛け渡されたベルト（１０３）と、を有し、前記駆動機構（２０）は、前記２つのプーリ（１０１），（１０２）および前記ベルト（１０３）を介して前記巻取りロッド（３０）を駆動させて布（９０）を巻取り、前記布押え機構（４０）は、前記布巻取り機に設けられた作動アーム（４１）と、前記作動アーム（４１）に設けられた布押え棒（４２）と、を有し、前記布押え棒（４２）は、前記布（９０）と接触されないときに第１の位置にあり、前記布（９０）と接触して持ち上げられたときに第２の位置にあり、前記調整機構は、前記作動アーム（４１）と接触された制動部材（６０）と、前記ベルト（１０３）に対応する圧接部材（８０）と、前記制動部材（６０）と前記圧接部材（８０）との間に配置された接続ユニット（７０）と、を有し、前記制動部材（６０）は、布押え棒（４２）が第１の位置にある場合、作動アーム（４１）の押圧により前記接続ユニット（７０）が駆動され、ベルト（１０３）へ圧接部材（８０）を当てて布巻取り張力を増大させ、前記布押え棒（４２）が第２の位置にある場合、前記作動アーム（４１）が駆動し、前記接続ユニット（７０）により前記ベルト（１０３）から前記圧接部材（８０）が離される。
【０００９】
請求項２に記載の発明は、請求項１に記載の巻取り機の張力調整アーキテクチャにおいて、前記制動部材（６０）は、前記布巻取り機に枢着され、一方の端部が前記作動アーム（４１）に対応した作動端部（６１）を有し、他方の端部が前記接続ユニット７０に接続された装着端部（６２）を有する。
【００１０】
請求項３に記載の発明は、請求項１に記載の巻取り機の張力調整アーキテクチャにおいて、前記布巻取り機は、前記制動部材（６０）を貫設させる組立孔（６３）を有し、前記組立孔（６３）は、前記制動部材（６０）を枢着させる組立フレーム（６４）を有する。
【００１１】
請求項４に記載の発明は、請求項１に記載の巻取り機の張力調整アーキテクチャにおいて、前記圧接部材（８０）は、前記布巻取り機に枢着された可動ロッド（８１）と、前記可動ロッド（８１）に配置され、前記ベルト（１０３）に対応する押圧輪（８２）と、を有する。
【００１２】
請求項５に記載の発明は、請求項４に記載の巻取り機の張力調整アーキテクチャにおいて、前記布巻取り機は、両端部が前記布巻取り機と前記可動ロッド（８１）とにそれぞれ接続された弾性部材（８３）を有する。
【００１３】
請求項６に記載の発明は、請求項１、２または４に記載の巻取り機の張力調整アーキテクチャにおいて、前記接続ユニット（７０）は、前記制動部材（６０）に枢着された接続ブロック（７１）と、両端部が前記接続ブロック（７１）および前記圧接部材（８０）にそれぞれ接続された牽引紐（７３）と、を有する。
【００１４】
請求項７に記載の発明は、請求項６に記載の巻取り機の張力調整アーキテクチャにおいて、前記接続ブロック（７１）は、一方の端部が前記牽引紐（７３）に係合され、他方の端部が前記牽引紐（７３）の牽引力を調整するために前記接続ブロック（７１）に螺着された接続フック（７２）を有する。
【００１５】
請求項８に記載の発明は、請求項６に記載の巻取り機の張力調整アーキテクチャにおいて、前記布巻取り機は、前記牽引紐（７３）が掛け渡された補助輪（７４）を有する。
【発明の効果】
【００１６】
本発明の布巻取り機の張力調整アーキテクチャは、布を安定的に巻取ってずれが発生することを防ぐことができる上、巻取った後の布の張力を均一にし、巻取られる布の品質を従来技術よりも高くすることができる。
【図面の簡単な説明】
【００１７】
【図１】本発明の一実施形態による布巻取り機を示す斜視図である。
【図２】本発明の一実施形態による布巻取り機を示す斜視図である。
【図３】本発明の一実施形態による布巻取り機を示す部分拡大分解斜視図である。
【図４Ａ】本発明の一実施形態による布巻取り機を使用するときの状態（１）を示す模式図である。
【図４Ｂ】本発明の一実施形態による布巻取り機を使用するときの状態（１）を示す模式図である。
【図５Ａ】本発明の一実施形態による布巻取り機を使用するときの状態（２）を示す模式図である。
【図５Ｂ】本発明の一実施形態による布巻取り機を使用するときの状態（２）を示す模式図である。
【図６Ａ】本発明の一実施形態による布巻取り機を使用するときの状態（３）を示す模式図である。
【図６Ｂ】本発明の一実施形態による布巻取り機を使用するときの状態（３）を示す模式図である。
【発明を実施するための形態】
【００１８】
以下、本発明の実施形態について、図面を参照しながら説明する。
【００１９】
図１および図２を参照する。図１および図２に示すように、本発明の一実施形態による布巻取り機は、２つのサイドボックス１０と、２つのサイドボックス１０間で下から順に配置された駆動機構２０、巻取りロッド３０、布押え機構４０および布送り機構５０と、を含む。サイドボックス１０は、駆動機構２０と布押え機構４０との間に配置された調整機構を含む。この調整機構は、布を巻取る際、主に布押え機構４０により、巻取りロッド３０が布を巻取るときの張力を調整するために用いる。駆動機構２０は、２つのサイドボックス１０間で底部に隣接した箇所に配置され、内部から延伸され、２つのサイドボックス１０に両端部がそれぞれ貫設された軸棒２１を有する。巻取りロッド３０は、２つのサイドボックス１０間の略中央の箇所に配置される。何れか一方のサイドボックス１０は、巻取りロッド３０と、駆動機構２０の軸棒２１とにそれぞれ接続された２つのプーリ１０１，１０２と、２つのプーリ１０１，１０２上に掛け渡されたベルト１０３と、を含み、駆動機構２０と接続された第１の伝動ユニット１００を有する。駆動機構２０は、これら２つのプーリ１０１，１０２およびベルト１０３を介して巻取りロッド３０を駆動し、布の巻取りを行う。
【００２０】
さらに、布押え機構４０は、２つのサイドボックス１０に枢着された２つの作動アーム４１と、２つの作動アーム４１の間に配置された布押え棒４２と、を含む。布押え棒４２上には布を押圧するために用いる摩擦部４３が設けられている。布押え棒４２は、第２の伝動ユニット２００、第３の伝動ユニット３００および第４の伝動ユニット４００を介して駆動機構２０により駆動される。布送り機構５０は、２つのサイドボックス１０間の頂部に配置され、２つのサイドボックス１０に枢着されたメインローラバー５１と、２つのサブローラバー５２，５３と、を含む。メインローラバー５１および２つのサブローラバー５２，５３は、第２の伝動ユニット２００および第３の伝動ユニット３００を介して駆動機構２０により駆動される。第２の伝動ユニット２００および第３の伝動ユニット３００は、第１の伝動ユニット１００に対応するようにもう一方のサイドボックス１０内に配置され、第４の伝動ユニット４００は、サイドボックス１０に隣接した作動アーム４１上に配置される。本実施形態の第２の伝動ユニット２００は、４つのプーリ２０１，２０２，２０３，２０４およびベルト２０５を含む。プーリ２０１は、軸棒２１の端部に設けられている。プーリ２０２は、軸棒２１に隣接した箇所に枢着され、軸棒２１上に設けられたプーリ２０１と噛合される。プーリ２０３は、プーリ２０２と同軸に配置され、プーリ２０４は、サイドボックス１０内で巻取りロッド３０よりも高い箇所に枢着され、これらプーリ２０３，２０４には、ベルト２０５が掛け渡されている。第３の伝動ユニット３００は、２つのプーリ３０１，３０２およびベルト３０３を含む。プーリ３０１は、作動アーム４１の端部に枢着されている。プーリ３０２は、メインローラバー５１の端部に枢着されている。第３の伝動ユニット３００は、２つのプーリ３０１，３０２と、第２の伝動ユニット２００のプーリ２０４と、に掛け渡されたベルト３０３を介して第２の伝動ユニット２００により駆動される。第４の伝動ユニット４００は、２つのプーリ４０１，４０２およびベルト４０３を含む。プーリ４０１は、第３の伝動ユニット３００のプーリ３０１の端部に対応した箇所で作動アーム４１に枢着されている。プーリ４０２は、布押え棒４２の端部に対応した箇所で作動アーム４１に枢着されている。第４の伝動ユニット４００は、２つのプーリ４０１，４０２間に掛け渡されたベルト４０３を介して第３の伝動ユニット３００により駆動され、布押え棒４２を回転させる。
【００２１】
図３を参照する。図３に示すように、調整機構は、第１の伝動ユニット１００が配置されているサイドボックス１０に配置され、作動アーム４１に対応するようにサイドボックス１０に枢着された制動部材６０と、ベルト１０３に対応した圧接部材８０と、制動部材６０および圧接部材８０に接続されるように制動部材６０と圧接部材８０との間に設けた接続ユニット７０と、を含む。サイドボックス１０は、制動部材６０を挿入するために用いる組立孔６３を有する。この組立孔６３の外側には、制動部材６０を枢着させるために用いる組立フレーム６４が配置されている。制動部材６０は、作動アーム４１に対応した作動端部６１が一方の端部に設けられ、接続ユニット７０に接続される装着部６２が他方の端部に設けられている。圧接部材８０は、サイドボックス１０に枢着された可動ロッド８１と、ベルト１０３に対応するように可動ロッド８１に配置された押圧輪８２と、サイドボックス１０および圧接部材８０の可動ロッド８１に両方の端部がそれぞれ接続された弾性部材８３と、を含む。接続ユニット７０は、制動部材６０に枢着された接続ブロック７１と、牽引紐７３と、を含む。牽引紐７３は、両端部が接続ブロック７１と、圧接部材８０の可動ロッド８１とにそれぞれ接続されている。接続ブロック７１は、一方の端部に牽引紐７３が係合され、他方の端部に接続ブロック７１が螺接され、接続フック７２の高さを調整して牽引紐７３の牽引力を制御することが可能な接続フック７２を有する。布巻取り機は、牽引紐７３を掛け渡すために用いる補助輪７４を有する。この補助輪７４は、牽引紐７３により方向が変えられて圧接部材８０を牽引するために用いる。
【００２２】
図４Ａを参照する。図４Ａに示すように、本実施形態の布巻取り機を使用すると、布送り機構５０のメインローラバー５１およびサブローラバー５２，５３により、巻取りロッド３０へ布９０が案内される。布を巻取り始めるときの布押え棒４２は、布９０と接触されていない第１の位置にある。図５Ａに示すように、布押え棒４２が第１の位置に達すると、作動アーム４１により制動部材６０が押圧されて作動端部６１が押下され、装着部６２が上がる。図６Ａを参照する。図６Ａに示すように、接続ユニット７０の接続ブロック７１および牽引紐７３により、可動ロッド８１および弾性部材８３が牽引されると、ベルト１０３に押圧輪８２が当てられ、プーリ１０１，１０２に掛け渡されているベルト１０３が滑ることを防ぐことができる。そのため、巻取りロッド３０の回転数を増大させて布を巻取る時の張力を向上させ、布９０を巻取りロッド３０へ安定的に巻き付けることができる。
【００２３】
図４Ｂを参照する。図４Ｂに示すように、操作時間の経過に伴い、巻取りロッド３０により巻き取られる布９０が一定の量に達すると、布９０に接触された布押え棒４２が第２の位置に達するまで上がる。作動アーム４１が上昇すると、作動端部６１が上がるとともに装着部６２が下がる。続いて、図６Ｂを参照する。図６Ｂに示すように、接続ユニット７０の接続ブロック７１および牽引紐７３により可動ロッド８１が緩められ、弾性部材８３の弾力が可動ロッド８１を引戻し、押圧輪８２がベルト１０３から離れる。これにより、巻取りロッド３０と布押え棒４２との回転数が異なり、巻取りロッド３０のベルト１０３がプーリ１０１，１０２で滑っても、布９０の巻取りが布押え棒４２により制御されるため、布９０の張力を均一にすることができる。
【００２４】
上述したことから分かるように、本実施形態の布巻取り機の張力調整アーキテクチャは、調整機構の制動部材６０を介し、布を巻取り始めるときに、作動アーム４１が第１の位置に押圧され、接続ユニット７０を牽引し、第１の伝動ユニット１００のベルト１０３へ圧接部材８０を当てることにより、巻取りロッド３０が巻き取られ始める際の巻取り力を向上させることができる。このように、布巻取り機により巻き取りを始める際、巻取りロッド３０で布９０を安定的に巻き取り、巻取りロッド３０上で布９０がずれて巻き取られることを防ぐことができる。さらに、巻取り工程において、布９０の巻取り量が所定量に達すると、作動アーム４１が布９０により第２の位置まで上がる。制動部材６０は、作動アーム４１の押圧により接続ユニット７０を駆動し、ベルト１０３から圧接部材８０が離される。そのため、ベルトの磨耗を減らして使用寿命を延ばすことができる。ベルト１０３から圧接部材８０が離れると、巻取りロッド３０も同時に離されるため、布押え棒４２により制御される布９０を巻取りロッド３０により調整し、布９０の巻取り張力を均一にすることができる。
【００２５】
当該分野の技術を熟知する者が理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００２６】
１０   サイドボックス
２０   駆動機構
２１   軸棒
３０   巻取りロッド
４０   布押え機構
４１   作動アーム
４２   布押え棒
４３   摩擦部
５０   布送り機構
５１   メインローラバー
５２   サブローラバー
５３   サブローラバー
６０   制動部材
６１   作動端部
６２   装着部
６３   組立孔
６４   組立フレーム
７０   接続ユニット
７１   接続ブロック
７２   接続フック 
７３   牽引紐
７４   補助輪
８０   圧接部材
８１   可動ロッド
８２   押圧輪
８３   弾性部材
９０   布
１００   第１の伝動ユニット
１０１   プーリ
１０２   プーリ
１０３   ベルト
２００   第２の伝動ユニット
２０１   プーリ
２０２   プーリ
２０３   プーリ
２０４   プーリ
２０５   ベルト
３００   第３の伝動ユニット
３０１   プーリ
３０２   プーリ
３０３   ベルト
４００   第４の伝動ユニット
４０１   プーリ
４０２   プーリ
４０３   ベルト
【図１】
2011011878.tif 000003
【図２】
2011011878.tif 000004
【図３】
2011011878.tif 000005
【図４Ａ】
2011011878.tif 000006
【図４Ｂ】
2011011878.tif 000007
【図５Ａ】
2011011878.tif 000008
【図５Ｂ】
2011011878.tif 000009
【図６Ａ】
2011011878.tif 000010
【図６Ｂ】
2011011878.tif 000011